(57)【特許請求の範囲】
【請求項１】
固有の識別子を有する移動端末と、
自己の通信ゾーン内に位置する前記移動端末との間でデータの送受信を行う通信手段と、
前記移動端末から送信される前記識別子を前記通信手段を介して受信し、この受信結果に基づき前記移動端末が位置する前記通信ゾーンを特定するゾーン特定手段と、
前記通信ゾーン内に配置され、該通信ゾーン内の少なくとも一部領域を撮像する撮像手段と、
前記移動端末から送信される表示要求を前記通信手段を介して受信したとき、前記ゾーン特定手段により特定された前記移動端末の位置する通信ゾーンに対応する前記撮像手段を特定し、特定された撮像手段により撮像された映像を表示する手段と
を具備することを特徴とする行先映像表示システム。
【請求項２】
固有の識別子を有する移動端末と、
自己の通信ゾーン内に位置する前記移動端末との間でデータの送受信を行う通信手段と、
前記移動端末から送信される前記識別子を前記通信手段を介して受信し、この受信結果に基づき前記移動端末が位置する前記通信ゾーンを特定するゾーン特定手段と、
前記通信ゾーン内に配置され、該通信ゾーン内の少なくとも一部領域を撮像する撮像手段と、
表示手段を備えたセンター装置と、
このセンター装置から所定の前記移動端末に対する表示要求を受けたとき、前記ゾーン特定手段により特定された前記移動端末の位置する通信ゾーンに対応する前記撮像手段を特定し、特定された撮像手段により撮像された映像を前記センター装置の表示手段に表示する手段と
を具備することを特徴とする行先映像表示システム。
【請求項３】
前記移動端末から送信された前記撮像手段による撮像を禁止する撮像禁止要求を登録する登録手段と、
この登録手段により登録された前記移動端末に対応する撮像手段による撮像を禁止する撮像禁止手段と
をさらに具備する請求項１または２記載の行先映像表示システム。
【発明の詳細な説明】
【０００１】
【産業上の利用分野】
本発明は、移動通信システムにおける移動端末と網制御装置間における位置登録機能を利用して、移動端末の存在する在圏ゾーンの撮像装置を動作させ所定表示装置に映像を映す機能を有する行先映像表示システムに関する。
【０００２】
【従来の技術】
防犯・警備等の監視装置においては、所定の場所に撮像装置を設置し、その映像を監視センター等に設置された表示装置に表示させ、映像を監視するシステムが広く用いられている。これらのシステムでは映像を常時表示して人手により監視するシステムや動きや温度・音などを検出するセンサと連動させ、センサが所定の要因を検出すると撮像装置による映像を所定時間表示するかＶＴＲに録画するシステムが知られている。
【０００３】
ところで、常に映像が画面に映しだされているシステムでは、監視センターに全撮像装置に対応する数の表示装置を監視センターに設置し、常時この表示装置に各撮像装置からの映像を表示するシステムや、１台の表示装置に各撮像装置からの映像を一定時間毎に切替えるシステムがあり、表示装置の映像を人により監視している。このシステムにおいては、電車の発車時の安全確認のように人が必要時だけ見て判断する場合はよいが、人が常に映像を見て判断せねばならない場合は注意力が持続せず異常が起きたときに気がつかないことがある。
【０００４】
一方、火災や防犯などのシステムでは、異常の発見者が警報ボタンを押すことにより管理センターに警報が通知され、異常発生位置のランプ表示などにより、自動的にあるいは人手によりその位置に近い撮像装置を動かして表示装置に映像を写して現場を確認したり、実際に現場を見に行き状況を把握して、事後の処理をすることになる。
【０００５】
前者のように全表示装置を人が常時監視するシステムでは、監視する人の負荷が大きく異常の見逃しなどが生じやすく、後者の場合は、センサなどにより異常が検出された場所の撮像装置からの映像を表示している表示装置に人が注目すればよいため常時表示装置を監視する負荷をなくすことができるが、随所に各種センサを網羅することは難しいため、結局センサを配置している場合においても警備員などが定期的に巡回することにより補佐している。そして、何等かの異常をみつけた際、巡回中の警備員とセンターの人とは電話で連絡をとることができ、センターから警備員の状況をみたいとか警備員側からセンターで映像をモニタ録画させておきたいという要求と場所を教えて映像を表示することができる。
【０００６】
しかし、相手が返事をしない場合に、センターから警備員の状況をみたいとか警備員側からセンターで映像をモニタ録画させておきたいという要求を実現する手段がなかった。また、警報が通知されているにもかかわらず、誰が異常を発見し通報したかがわからず、いたずらではないかという先入観を信じて然るべき処理が遅れることがある。さらには、病院などにおける患者の映像監視システムも一部で運用されているが、病室から移動しない患者では特に支障はないが、病室から移動可能な患者を映像監視する場合には、患者の所在が不明な場合が生ずるため、円滑な運営ができない場合があった。逆に通報者や患者からみれば、近くに撮像装置があるのなら、今自分のいる近くの撮像装置を動作させ、管理センターにいち早く状況を掴んで欲しいと思う場合でもその方法がなかった。
【０００７】
【発明が解決しようとする課題】
このように現行のシステムでは、表示装置を見る側では移動する被写体をどの撮像装置で見たらよいか探しにくく、撮像装置側では表示装置を見る側からのみしか作動できず撮像装置の近くにいる人から撮像を作動することができないという問題があった。
【０００８】
本発明は、上記した問題点を解決し、表示手段を管理する側でない撮像手段の側からでも映像を表示させることができる行先映像表示システムを提供することを目的とする。
【０００９】
また、本発明の別の目的は、センター装置において、無駄にあちこちの撮像手段を動作させることなく、行先の映像を見ることができる行先映像表示システムを提供することを目的とする。
【００１０】
【課題を解決するための手段】
本発明は、かかる問題を解決するため、固有の識別子を有する移動端末と、自己の通信ゾーン内に位置する移動端末との間でデータの送受信を行う通信手段と、移動端末から送信される識別子を通信手段を介して受信し、この受信結果に基づき移動端末が位置する通信ゾーンを特定するゾーン特定手段と、通信ゾーン内に配置され、該通信ゾーン内の少なくとも一部領域を撮像する撮像手段と、移動端末から送信される表示要求を通信手段を介して受信したとき、ゾーン特定手段により特定された移動端末の位置する通信ゾーンに対応する撮像手段を特定し、特定された撮像手段により撮像された映像を表示する手段とを具備する。
【００１１】
また、他の発明は、固有の識別子を有する移動端末と、自己の通信ゾーン内に位置する移動端末との間でデータの送受信を行う通信手段と、移動端末から送信される識別子を通信手段を介して受信し、この受信結果に基づき移動端末が位置する通信ゾーンを特定するゾーン特定手段と、通信ゾーン内に配置され、該通信ゾーン内の少なくとも一部領域を撮像する撮像手段と、表示手段を備えたセンター装置と、このセンター装置から所定の移動端末に対する表示要求を受けたとき、ゾーン特定手段により特定された移動端末の位置する通信ゾーンに対応する撮像手段を特定し、特定された撮像手段により撮像された映像をセンター装置の表示手段に表示する手段とを具備する。
【００１２】
さらに、別の発明は、上記構成に、移動端末から送信された撮像手段による撮像を禁止する撮像禁止要求を登録する登録手段と、この登録手段により登録された移動端末に対応する撮像手段による撮像を禁止する撮像禁止手段とをさらに具備するものである。
【００１３】
【作用】
本発明では、移動端末から表示要求を受けると、当該移動端末の在圏するゾーンに対応する撮像手段を特定し、特定された撮像手段により撮像された映像を、例えばセンター装置に表示しているので、移動端末を所持する側、すなわち表示手段を管理する側でない撮像手段の側からでも映像を表示させることができる。
また、センター装置から所定の移動端末に対する表示要求を受けると、当該移動端末の在圏するゾーンに対応する撮像手段を特定し、特定された撮像手段により撮像された映像をセンター装置の表示手段に表示しているので、無駄にあちこちの撮像手段を動作させることなく、行先の映像を見ることができる。
【００１４】
【実施例】
以下、本発明の実施例を図面に基づき説明する。
【００１５】
図１は本発明の一実施例に係る行先映像表示システムの構成を示す図である。同図に示すシステムは、事業所などの構内交換網に本発明を適応したものである。同図に示す構内交換網は、構内交換機（ＰＢＸ）２を核としてＰＢＸ２の内線インタフェース２１、２２、２３、・・・２ｎに接続された構内回線を介して、通常の内線電話３ａ、３ｂ、・・・３ｎ、移動電話サービスを提供する基地局（ＢＳ）４ａ、４ｂ、・・・４ｎとともに、撮像装置１ａ、１ｂ、・・・１ｎおよび撮像装置からの映像を表示する表示センター７が接続されている。ＰＢＸ２からは内線電話３、基地局４、撮像装置１、および表示センター７は、いずれも内線端末の一つとして各々、発着信のための内線端末番号を付与されている。撮像装置１ａ、１ｂ、・・・１ｎおよび表示センター７は自らの発呼操作することまたは呼を着信することにより起動する。表示センター７には、この行先映像表示システムの制御を行う行先管理部６が備えられている。
【００１６】
この実施例では、上述したＰＢＸ２の内線インタフェース２１、２２、２３、・・・２ｎとして、ＩＳＤＮ（サービス総合ディジタル網）の基本インタフェースを適用した場合について説明する。ＩＳＤＮ基本インタフェースは、ＣＣＩＴＴ勧告Ｉ．４３０の規定に従い、内線インタフェース２１、２２、２３、・・・２ｎと各端末間は、上り、下り、各々１対のツィストペアケーブルの４線式伝送路で接続されている。この伝送路上では同勧告の規定に従い、上り、下りとも64Kb/sの伝送容量を有するＢ１、Ｂ２の二つの情報（Ｂ）チャネルと、16Kb/sの伝送容量を有する信号（Ｄ）チャネルが多重化（２Ｂ＋Ｄ）されて伝送される。上記Ｂチャネルは発着信に際して、端末とＰＢＸ２間で所定の呼制御手順を経て、ＰＢＸ２から割り当てられたＢ１またはＢ２チャネル上で音声やデータなどの任意の端末間通信情報を転送することができる。一方、Ｄチャネルは上記したＢチャネルを発着信に際し、ＣＣＩＴＴ勧告Ｑ．９２１、Ｑ．９３１で規定されている端末とＰＢＸ２間割り当てるための呼制御情報を転送するためのものである。図２は上記Ｄチャネル上で転送される端末とＰＢＸ２との間の呼制御シーケンスの一例である。図２において、発信端末から伝達能力、着番号、発番号などの各情報要素を含む図３（ａ）に示すような構造の「呼設定」メッセージが網に送信されると、通信に使用するＢチャネルを通知する「呼設定受付け」信号がＰＢＸ２から送信され、次に着信相手の端末の呼び出しが始まると「呼出し」信号がＰＢＸ２から送信され、さらに着信相手が応答すると「応答」信号がＰＢＸ２から発信端末に送信されることにより、Ｂチャネルを使用して音声、データ、画像などの端末−端末間の通信が可能となる。Ｂチャネルでの通信が終了すると発信端末が「切断」信号を送信し、「解放」信号がＰＢＸ２から発信端末に送信され、発信端末が「解放完了」信号を送信することでこの通信が終了する。着信端末側は上記した発信端末側と対称の呼制御信号をＰＢＸ２と授受することで、ＢチャネルをＰＢＸ２から割り当てられ、発信端末と着信端末との間でＢチャネル上での情報通信が可能となる。
【００１７】
さて、ＰＢＸ２に接続された各種内線端末のうち、移動端末（ＭＳ）５ａ、５ｂ、・・・５ｎは、移動通信サービスを提供する基地局（ＢＳ）４ａ、４ｂ、・・・４ｎを介して、ＰＢＸ２に接続される構成となっている。この基地局４ａ、４ｂ、・・・４ｎは、コードレス電話機の親機に相当するもので、（財）電波システム開発センターにおいて制定された「ディジタル自動車電話システム」に関する規格ＲＣＲ  ＳＴＤ−２７、あるいは「第２世代コードレス電話システム」に関する規格ＲＣＲ  ＳＴＤ−２８で規定された移動通信プロトコルをベースに構内移動通信用にしたものである。本発明の実施例では、図１のゾーンａ、ゾーンｂ、・・・ゾーンｎの様に、基地局４ａ、４ｂ、・・・４ｎと各移動端末間を10ｍＷ程度の電波で結び、電波の到達可能なエリア単位、例えば部、課などの適当なグループ単位に設置される。この基地局４ａ、４ｂ、・・・４ｎは当該エリアに在圏している移動端末の通信をサポートするもので、発着信に際しての呼制御手順そのものは、図２に示したＩＳＤＮ基本インタフェースの端末とまったく同様であるが、さらに移動端末特有の位置登録手順を有する。各基地局と当該エリアに在圏する移動端末間には、ＴＤＭＡによる無線アクセス方式を用いて、基地局から移動端末に在圏位置情報を転送する報知チャネル（ＢＣＣＨ）、発着信の呼制御信号を転送する共通制御チャネル（ＣＣＣＨ）、音声やデータなどの端末間情報を転送する情報チャネル（ＴＣＨ）などが多重化されて転送される。各基地局に対しては各々ユニークな値を持つゾーン番号が予め割り付けられており、各基地局のＢＣＣＨ上で図３（ｂ）に示す様な構造で、当該ゾーンのゾーン情報要素を含む報知情報メッセージが、周期的に移動端末に対し報知されている。図４に位置登録手順の一例を示す。各移動端末（ＭＳ）は、待ち受け移行時及び通信中において、周期的にこのＢＣＣＨから報知情報を受信し、報知情報で受信したゾーン番号を記憶しておき、記憶された網番号と現在受信した報知情報の網番号とを比較する。網番号が異なっていた場合は端末の移動により、在圏ゾーンが更新されたと判定し、図３（ｃ）に示す様な構造で、自端末番号情報要素を含む位置登録要求メッセージをＣＣＣＨで基地局に送信する。図４において、ＣＣＣＨ上の位置登録要求メッセージには移動端末番号を含んでおり、基地局において前記したＩＳＤＮ基本インタフェースのＤチャネルに乗せ換えられて、ＰＢＸ２に送信される。ＰＢＸ２には通常の発着信手順を処理する機能に加え、図１中に示した移動端末の在圏位置を管理する移動管理機能を持っており、この機能に対し、前記位置登録要求メッセージが伝えられ、各基地局の内線番号と当該エリアに在圏する移動端末番号からなる位置情報テーブルに記憶して、その後、位置登録受付メッセージをＤチャネル上で基地局に送信し、基地局からはＣＣＣＨ上で位置登録要求中の移動端末に送信される。この様にして、ＰＢＸ２は各移動端末がどの基地局のエリアに在圏しているかを把握して、当該移動端末に対しての着信呼が発生した際には、該当する移動端末が在圏する基地局に対して、着信を通知する。この着信手順は図２で示したＩＳＤＮ基本インタフェースのものと同様の動作をすることになる。
【００１８】
さて、図１に示したＰＢＸ２の移動管理機能２０１は、ＩＳＤＮ基本インタフェースを介して、表示センター７と接続されており、移動端末の電源が入力されたときや在圏ゾーンの更新が行われたとき、図５に示すように移動端末の識別情報や各移動端末の在圏ゾーンの情報を表示センター７に送信する。
【００１９】
図６に表示センター７の概略構成図を示す。表示センター７は、モニターとしての呼制御とＢチャネルの画像データを表示する機能と、行先映像表示を実現するための情報テーブル管理や呼制御を行う機能を備えている。行先映像表示制御の機能部分を行先管理部６とする。図５に示すように、表示センター７は、行先管理部６の制御や撮像表示の接続制御と画像処理制御を行うマイクロコンピュータ（ＣＰＵ）６１を中核として、そのシステムバス上に接続された制御プログラムが格納されたリードオンリメモリ（ＲＯＭ）６２、移動端末情報テーブル６６や撮像装置着番号テーブルの各情報を入力するための保守端末インタフェース６３、パーソナルコンピュータからなる保守端末６４、報知情報で報知される在圏ゾーンのゾーン番号や端末番号や保守端末から入力された移動端末持主を記憶管理する移動端末情報テーブル６６、撮像装置の着番号とゾーン番号を対応づけて記憶した撮像装置着番号情報テーブル６５、画像データをディスプレイに表示するための画像コーデック制御などを行う画面制御部６８、ディスプレイ６９および表示センター７とＰＢＸ２を接続するためのＩＳＤＮインタフェース６７から構成される。マイクロコンピュータ６１は、モニターとしての発着信呼制御とディスプレイ表示処理と、行先管理として、移動端末のゾーン管理機能、表示センターからの行先映像表示の発信要求がされたときの映像装置検索および発信処理機能、移動端末から行先映像表示の発信要求がされたときの映像装置検索および発信処理機能、行先映像表示動作中かどうかの管理機能および移動端末からの行先映像表示禁止要求の有無の管理機能をもつ。
【００２０】
撮像装置着番号テーブル６５は、図７に示すように、各ゾーンの番号と、各ゾーンの名称と、各ゾーンに設置された撮像装置の着番号から構成され、予め、システム管理者により、ＲＯＭ６２に格納されたテーブル作成のプログラムにより保守用端末からデータを入力することにより作成される。
【００２１】
移動端末情報テーブル６６は、図８に示すように、移動端末の管理番号である移動端末情報と、移動端末の持ち主の情報と、ＰＢＸの移動管理機能から通知される移動端末の在圏ゾーン情報と、現在ある移動端末の在圏ゾーンの撮像装置を動作させモニター中であるかどうかの情報と、行先映像表示の禁止要求がされているかどうかのモニター禁止情報から構成される。移動端末の管理番号である移動端末情報と移動端末の持ち主の情報とは、システム管理者が保守用端末６４からデータを入力することにより作成される。在圏ゾーン情報は、ＰＢＸの移動管理機能からの通知を受けたときに書き換えられる。モニター禁止情報は、後述するように移動端末から行先映像表示禁止要求、解除要求を受けたときに書き換えられる。テーブルの書き換えや入力は、ＲＯＭ６２に格納されたテーブル作成のプログラムにより作成される。
【００２２】
次に、本発明による行先映像表示システムの全体の動作を説明する。図５および図９は本発明に係る表示センター１、ＰＢＸ２、基地局（ＢＳ）、移動端末
（ＭＳ）の連携した動作シーケンスを示すものである。
【００２３】
図５中の時点１において、例えば警備員Ａが出社し図１に示したゾーンａで、自分のＭＳ（移動端末５１ａ）の電源を投入したとする。この時点において、同ゾーン内の基地局−ａからはゾーン番号＝ａの報知情報がＢＣＣＨ上で周期的に報知されている。このとき、移動端末は図４で説明したように、基地局を介して位置登録手順が起動され、ＰＢＸ２の移動管理機能２０１は、移動端末５１ａがゾーンａに在圏していることを知り、以後、同移動端末に対する着信は在圏ゾーンが次に更新されるまでの間、ゾーンａに通知することになる。位置登録手順が終わると、ＰＢＸ２の移動管理機能２０１からＩＳＤＮインタフェース及び構内回線を介して、Ｄチャネル上で移動端末識別情報と在圏ゾーン情報をのせた通知メッセージが、表示センター７に通知される。このメッセージを受信した表示センター７は、通知された移動端末の識別情報である端末番号と在圏するゾーン情報であるゾーン番号を移動端末情報テーブル６６に記憶する。
【００２４】
また、図４を用いて説明したように、移動端末５１ａは待ち受け状態においては、基地局から報知情報を周期的に受信しており、すでに位置登録した同一のゾーン内では再度位置登録手順を起動することはないが、移動端末内に記憶したゾーン番号と異なるゾーン番号の報知情報は、新ゾーンに移動したものとみなし、在圏ゾーン更新の位置登録手順が起動される。図５中の時点２において、移動端末５１ａの利用者＝警備員Ａが例えば警備巡回で移動端末５１ａを携帯して図１に示したゾーンｎの部屋に移動したとする。この時点において、同ゾーン内の基地局−ｎからはゾーン番号＝ｎの報知情報がＢＣＣＨ上で周期的に報知されている。この時点で、移動端末は以前に在圏ゾーンが移動したことを知り、基地局を介して位置登録手順が起動され、ＰＢＸ２の移動管理機能２０１は、移動端末５１ａがゾーンｎに在圏していることを記憶し、以後の移動端末５１ａに対する着信は自動的にゾーンｎに通知されることになる。位置登録手順及びその後ＰＢＸ２から表示センター７への在圏ゾーン通知各装置内の動作はすでに説明した電源オン時のものとまったく同様のものである。
【００２５】
警備員Ａが巡回中異常を見つけたとき、表示センター７に行先映像を表示させるため、図９に示すように表示センターへ「移動端末識別情報（自端末番号）」を発番号情報要素に、「自端末の在圏するゾーンの映像を表示へ映すことを要求する行先表示起動要求の情報」をユーザ・ユーザ情報に入れて発呼し、表示センター７を起動する。表示センター７のＣＰＵ６１は、行先表示起動要求情報のユーザ・ユーザを含む呼設定を受信すると呼設定応答を送信する。次に、表示センター７のＣＰＵ６１は、行先表示起動要求情報を検出すると、要求を出した移動端末の在圏ゾーンを移動端末情報テーブル６６より割り出し、次に撮像装置着番号テーブル６５より移動端末の在圏するゾーンの撮像装置１ａ、…の着番号を割り出す。撮像装置１ａ、…の着番号がわかると、表示センター７は、当該撮像装置１ａ、…に発呼する。撮像装置１ａ、…は、着信することにより起動し、呼に応答後、Ｂチャネルに映像データを送信する。撮像装置１ａ、…が応答し、表示センター７に移動端末の在圏するゾーンの映像が映ると、表示センター７は移動端末へ解放確認のユーザ・ユーザ情報に表示が完了したという情報を載せて送信し、移動端末からの呼を解放する。
【００２６】
このようにして、移動端末はユーザ情報をみて、行先映像表示が起動したことが解り、表示センター７には移動端末５１ａの在圏ゾーンの映像が表示され、表示センター７の移動端末情報テーブル６６の移動端末５１ａのモニター動作中／停止中の情報欄に動作中のデータが書き込まれる。
【００２７】
図１０に行先映像表示のディスプレイ表示の例を示す。同図に示すように行先映像表示のディスプレイ表示には、移動端末持主、ゾーン名および移動端末の在圏する撮像装置１ａ、…からの映像が表示される。移動端末の持主（例えば警備員Ａ）は移動端末番号と移動端末情報テーブルより検索して表示され、ゾーン名（例えばフロアＣ）は在圏ゾーン番号とカメラ装置着番号テーブルのゾーン名称より検索して表示される。
【００２８】
上述した実施例では、移動端末から行先表示時起動要求を出した例を示したが、逆に例えば警備員Ａがなかなか巡回から戻らずどこでどうしているのか現状を把握したい場合について、図１１を参照しながら説明する。まず、表示センター７から警備員Ａの行先映像表示を要求する。警備員Ａの携帯する移動端末情報（端末番号）を発番号情報要素に、移動端末の在圏するゾーンの映像を表示センター７へ映すことを要求する行先表示起動要求の情報をユーザ・ユーザ情報に入れて発呼しようとする。表示センター７のＣＰＵ６１は、発呼時の呼設定のユーザ・ユーザ情報に移動端末の在圏するゾーンの映像を表示へ映すことを要求する行先表示起動要求を検出すると、呼設定をＰＢＸ２に送信せず、指定された移動端末の在圏ゾーンを移動端末情報テーブル６６より割り出し、次に撮像装置着番号テーブル６５より移動端末の在圏するゾーンの撮像装置１ａ、…の着番号を割り出す。撮像装置１ａ、…の着番号がわかると、表示センター７は呼設定を作り替え、警備員Ａの持っている移動端末が在圏するゾーンの撮像装置１ａ、…に発呼する。撮像装置１ａ、…が起動し、表示センター７に移動端末５１ａの在圏ゾーンの映像が表示されると、表示センター７の移動端末情報テーブル６６の移動端末５１ａのモニター動作中／停止中の情報欄に動作中のデータが書き込まれる。
【００２９】
以上の実施例では、呼設定信号に行先表示要求と端末番号を入れて制御する例を示したが、表示センター７に行先表示要求用のマン−マシン装置を装備してもよい。
【００３０】
次に、行先映像表示を行っている最中に移動端末の在圏するゾーンが移った場合の動作を図１２を用いて説明する。
【００３１】
例えば移動端末５１ａがゾーンａからゾーンｎに移ると、ＰＢＸ２は表示センター７に移動端末５１ａがゾーンｎにハンドオーバーしたという在圏ゾーン通知を送信する。表示センター７で移動端末５１ａの在圏ゾーンａを表示している際に、すなわち移動端末情報テーブル６６の移動端末５１ａのモニター動作中／停止中の情報欄のデータが“動作中”の際にＰＢＸ２から移動端末５１ａの在圏ゾーンがｎに移った通知を受けとると、表示センター７はゾーンａの撮像装置１ａとの呼を保留し、前記と同様にしてゾーンｎ内の撮像装置１ｎに発呼する。撮像装置１ｎが応答し映像が送られると、撮像装置１ａとの呼を切断する。このようにして、移動端末５１ａの移動に伴い自動的に撮像装置１ａを切り替えることができる。
【００３２】
次に、移動端末のユーザが行先映像表示を禁止したい場合について述べる。表示センター７から行先映像表示要求を出されてもモニターされたくない場合、例えば移動端末５１ａから行先表示の移動端末情報を管理している表示センター７へ、行先映像の禁止を要求するユーザ・ユーザ情報と移動端末５１ａの移動端末情報を含む呼設定メッセージを送信する。表示センター７は、行先映像の禁止要求を含むメッセージを受信すると、要求を送信した移動端末５１ａの移動端末情報テーブル６６のモニター禁止の項目に禁止を書き込み、移動端末５１ａに行先映像表示禁止設定済み情報を含む解放完了を送信する。以後、表示センター７から移動端末５１ａに行先映像表示要求が出されても、表示センター７のＣＰＵ６１により移動端末５１ａの移動端末情報テーブル６６のモニター禁止の項目に禁止を検出すると、撮像装置１ａ、…に呼設定を送信せずディスプレイに「警備員Ａ行先映像表示禁止中」を表示する。
【００３３】
行先映像表示禁止を解除する場合は、禁止要求をするときと同様にして行先映像表示禁止の解除要求するユーザ・ユーザ情報と移動端末５１ａの移動端末情報を含む呼設定メッセージを送信する。表示センター７は、行先映像の禁止解除要求を含むメッセージを受信すると、要求を送信した移動端末５１ａの移動端末情報テーブル６６のモニター禁止の項目に許可を書き込み、移動端末５１ａに行先映像表示許可設定済み情報を含む解放完了を送信する。以後、表示センター７から移動端末５１ａに行先映像表示要求が出されると表示センター７のＣＰＵ６１により移動端末５１ａの移動端末情報テーブル６６のモニター禁止の項目に許可を確認し、撮像装置に呼設定を送信する。
【００３４】
以上の実施例において、撮像装置１ａ、…が応答しないときや行先映像表示要求をした移動端末の在圏ゾーンに撮像装置１ａ、…がないときに、移動端末が要求を出した場合は、解放完了に「ゾーン内に撮像装置なし」などの情報を載せて呼を解放し、表示センター７が要求した場合はディスプレイに「ゾーン内に撮像装置なし」などの情報を表示してもよい。
【００３５】
また、上記の実施例では、表示センター７のＣＰＵ６１に移動端末情報テーブル６６や撮像装置着番号テーブル６５の管理機能、行先映像表示要求があった際に移動端末の在圏ゾーンを探し、ゾーン内にある撮像装置１ａ、…の着番号を割り出し撮像装置を起動させたり、行先映像を表示中に移動端末のゾーンが更新された際更新された在圏ゾーンを探しゾーン内にある撮像装置１ａ、…の着番号を割り出し、撮像装置を起動させ撮像装置を切り替える機能、行先映像表示の禁止／許可の登録制御機能を持たせたが、表示センター７ではなく行先映像表示管理制御端末としてもよいし、ＰＢＸ２や網側に持たせてもよい。
【００３６】
さらに、上記実施例では、表示装置が１ケ所の場合について説明したが、表示装置もゾーン毎にあり、表示装置の指定をすることも可能である。
【００３７】
また、撮像装置はゾーンに複数台備え付けてあり、表示センターから切替可能でもよい。
【００３８】
またさらに、撮像装置の構図やズーム操作は、行先映像表示管理制御部から制御可能としてもよい。
【００３９】
【発明の効果】
以上説明したように、本発明によれば、移動端末を所持する側、すなわち表示手段を管理する側でない撮像手段の側からでも映像を表示させることができ、また管理する側では無駄にあちこちの撮像手段を動作させることなく、行先の映像を見ることができる。
【図面の簡単な説明】
【図１】本発明による行先映像表示システム全体の概略構成図である。
【図２】ＰＢＸと移動端末が発着信に際して行う動作シーケンス例である。
【図３】発着信に際して、ＰＢＸと基地局、移動端末、表示センターで授受される呼制御メッセージの構成図である。
【図４】ＰＢＸと基地局、移動端末間の位置登録シーケンス例である。
【図５】本発明によるＰＢＸの移動管理機能の動作シーケンスである。
【図６】本発明による表示センターの概略的構成図である。
【図７】本発明による撮像装置着番号情報テーブルのフォーマットである。
【図８】本発明による移動端末情報テーブルのフォーマットである。
【図９】本発明による行先映像表示システムの動作シーケンスである。
【図１０】本発明による行先映像表示システムのディスプレイ表示例である。
【図１１】本発明による行先映像表示システムの動作シーケンスである。
【図１２】本発明による行先映像表示システムの動作シーケンスである。
【符号の説明】
１ａ、１ｂ、・・・１ｎ…撮像装置
２…ＰＢＸ
２１、２２、２３、・・・２ｎ…内線インタフェース
３ａ、３ｂ、・・・３ｎ…内線電話
４ａ、４ｂ、・・・４ｎ…基地局（ＢＳ）
５ａ、５ｂ、・・・５ｎ…移動端末（ＭＳ）
６…行先管理部
７…表示センター
２０１…移動管理機能
【図１】
0003713300.tif 000002
【図２】
0003713300.tif 000003
【図３】
0003713300.tif 000004
【図４】
0003713300.tif 000005
【図５】
0003713300.tif 000006
【図６】
0003713300.tif 000007
【図７】
0003713300.tif 000008
【図８】
0003713300.tif 000009
【図９】
0003713300.tif 000010
【図１０】
0003713300.tif 000011
【図１１】
0003713300.tif 000012
【図１２】
0003713300.tif 000013